(57)【要約】【課題】空間内の次亜塩素酸ガスの濃度を短期間で均一にする。【解決手段】次亜塩素酸ガス放出システム１は、次亜塩素酸ガスを含む気体を放出する放出口１０と、放出口１０からの気体の放出方向を制御する制御部３０とを備える。制御部３０は、放出方向を経時変化させる第１制御を、気体の放出開始から所定期間実行し、放出方向を固定する第２制御を、所定期間の経過後に実行する。【選択図】図１
2020110226.tif 000002
【特許請求の範囲】
【請求項１】
次亜塩素酸ガスを含む気体を放出する放出口と、
前記放出口からの前記気体の放出方向を制御する制御部とを備え、
前記制御部は、
前記放出方向を経時変化させる第１制御を、前記気体の放出開始から所定期間実行し、
前記放出方向を固定する第２制御を、前記所定期間の経過後に実行する
次亜塩素酸ガス放出システム。
【請求項２】
前記所定期間は、前記気体が放出される空間の換気回数に基づいて定められた期間である
請求項１に記載の次亜塩素酸ガス放出システム。
【請求項３】
前記制御部は、前記第１制御を実行する場合に、前記放出方向を所定範囲内で連続的に変化させる
請求項１又は２に記載の次亜塩素酸ガス放出システム。
【請求項４】
前記制御部は、前記第１制御を実行する場合に、前記放出方向を所定範囲内で離散的に変化させる
請求項１又は２に記載の次亜塩素酸ガス放出システム。
【請求項５】
さらに、前記気体が放出される空間内の次亜塩素酸ガスの濃度を変化させる要因を検出する第１センサを備え、
前記制御部は、さらに、前記第２制御を実行している期間内に、前記第１センサによって前記要因が検出された場合、前記第２制御を停止し、前記第１制御を前記所定期間実行する
請求項１〜４のいずれか１項に記載の次亜塩素酸ガス放出システム。
【請求項６】
さらに、前記気体が放出される空間内の次亜塩素酸ガスの濃度を検出する第２センサを備え、
前記制御部は、さらに、前記第２制御を実行している期間内に、前記第２センサによって前記次亜塩素酸ガスの濃度の変化が検出された場合、前記第２制御を停止し、前記第１制御を前記所定期間実行する
請求項１〜５のいずれか１項に記載の次亜塩素酸ガス放出システム。
【請求項７】
さらに、前記気体が放出される空間内の所定位置の次亜塩素酸ガスの濃度を検出する第２センサを備え、
前記制御部は、さらに、前記第２センサによって前記次亜塩素酸ガスの濃度の低下が検出された場合、前記所定位置に向けて前記気体が放出されるように前記放出方向を制御する第３制御を実行する
請求項１〜５のいずれか１項に記載の次亜塩素酸ガス放出システム。
【請求項８】
前記所定位置は、前記空間内の環境に基づいて予め決定された次亜塩素酸ガスの濃度の低下が発生しやすい位置である
請求項７に記載の次亜塩素酸ガス放出システム。
【請求項９】
さらに、前記気体が放出される空間の換気又は空調を行う設備を備え、
前記制御部は、さらに、前記第１制御の実行を開始する以前に、前記設備の動作を停止させる
請求項１〜８のいずれか１項に記載の次亜塩素酸ガス放出システム。
【請求項１０】
次亜塩素酸ガスを含む気体を放出する放出口からの前記気体の放出方向を経時変化させる第１制御を、前記気体の放出開始から所定期間実行し、
前記放出方向を固定する第２制御を、前記所定期間の経過後に実行する
次亜塩素酸ガス放出方法。
【請求項１１】
請求項１０に記載の次亜塩素酸ガス放出方法をコンピュータに実行させるためのプログラム。
【発明の詳細な説明】
【技術分野】
【０００１】
本発明は、次亜塩素酸ガス放出システム及び次亜塩素酸ガス放出方法に関する。
【背景技術】
【０００２】
例えば、特許文献１には、次亜塩素酸ガスを含むガスを発生するガス発生装置が開示されている。
【先行技術文献】
【特許文献】
【０００３】
【特許文献１】特開２０１４−１９０６６０号公報
【発明の概要】
【発明が解決しようとする課題】
【０００４】
従来のガス発生装置が空間中に次亜塩素酸ガスを含むガスを放出した場合、空間内で次亜塩素酸ガスの濃度が均一になるのに長い時間を必要とする。
【０００５】
そこで、本発明は、空間内の次亜塩素酸ガスの濃度を短期間で均一にすることができる次亜塩素酸ガス放出システム及び次亜塩素酸ガス放出方法などを提供することを目的とする。
【課題を解決するための手段】
【０００６】
上記目的を達成するため、本発明の一態様に係る次亜塩素酸ガス放出システムは、次亜塩素酸ガスを含む気体を放出する放出口と、前記放出口からの前記気体の放出方向を制御する制御部とを備え、前記制御部は、前記放出方向を経時変化させる第１制御を、前記気体の放出開始から所定期間実行し、前記放出方向を固定する第２制御を、前記所定期間の経過後に実行する。
【０００７】
また、本発明の一態様に係る次亜塩素酸ガス放出方法は、次亜塩素酸ガスを含む気体を放出する放出口からの前記気体の放出方向を経時変化させる第１制御を、前記気体の放出開始から所定期間実行し、前記放出方向を固定する第２制御を、前記所定期間の経過後に実行する。
【０００８】
また、本発明の一態様は、上記次亜塩素酸ガス放出方法をコンピュータに実行させるためのプログラムとして実現することができる。あるいは、当該プログラムを格納したコンピュータ読み取り可能な記録媒体として実現することもできる。
【発明の効果】
【０００９】
本発明によれば、空間内の次亜塩素酸ガスの濃度を短期間で均一にすることができる。
【図面の簡単な説明】
【００１０】
【図１】図１は、実施の形態１に係る次亜塩素酸ガス放出システムの構成を示すブロック図である。
【図２】図２は、実施の形態１に係る次亜塩素酸ガス放出システムの放出口を模式的に示す図である。
【図３】図３は、実施の形態１に係る次亜塩素酸ガス放出システムの放出方向を連続的に変更する例を示す図である。
【図４】図４は、実施の形態１に係る次亜塩素酸ガス放出システムの動作を示すフローチャートである。
【図５Ａ】図５Ａは、安定稼働制御の開始直後における、対象空間内の位置毎の次亜塩素酸ガスの濃度のシミュレーション結果を示す図である。
【図５Ｂ】図５Ｂは、拡散稼働制御の開始直後における、対象空間内の位置毎の次亜塩素酸ガスの濃度のシミュレーション結果を示す図である。
【図６Ａ】図６Ａは、安定稼働制御の開始から一定期間経過後における、対象空間内の位置毎の次亜塩素酸ガスの濃度のシミュレーション結果を示す図である。
【図６Ｂ】図６Ｂは、拡散稼働制御の開始から一定期間経過後における、対象空間内の位置毎の次亜塩素酸ガスの濃度のシミュレーション結果を示す図である。
【図７】図７は、安定稼働制御と拡散稼働制御との各々を実行した場合の、次亜塩素酸ガスの濃度の空間内の均一度合いを表すシミュレーション結果を示す図である。
【図８】図８は、実施の形態１の変形例に係る次亜塩素酸ガス放出システムによる気体の放出方向の例を示す図である。
【図９】図９は、実施の形態２に係る次亜塩素酸ガス放出システムの構成を示すブロック図である。
【図１０】図１０は、実施の形態２に係る次亜塩素酸ガス放出システムの動作を示すフローチャートである。
【図１１】図１１は、実施の形態３に係る次亜塩素酸ガス放出システムの構成を示すブロック図である。
【図１２】図１２は、実施の形態３に係る次亜塩素酸ガス放出システムにおける次亜塩素酸ガスセンサの検出位置の一例を示す図である。
【図１３】図１３は、実施の形態３に係る次亜塩素酸ガス放出システムの動作を示すフローチャートである。
【図１４】図１４は、実施の形態４に係る次亜塩素酸ガス放出システムの構成を示すブロック図である。
【図１５】図１５は、実施の形態４に係る次亜塩素酸ガス放出システムの動作を示すフローチャートである。
【発明を実施するための形態】
【００１１】
以下では、本発明の実施の形態に係る次亜塩素酸ガス放出システム及び次亜塩素酸ガス放出方法などについて、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１３】
また、本明細書において、平行又は垂直などの要素間の関係性を示す用語、及び、要素の形状を示す用語、並びに、数値範囲は、厳格な意味のみを表す表現ではなく、実質的に同等な範囲、例えば数％程度の差異をも含むことを意味する表現である。
【００１４】
また、本明細書において、「均一」とは、完全に均一な状態、すなわち、空間内の全ての地点の濃度が完全に等しくなることを意味するだけでなく、空間内の任意の地点の濃度と平均値との差が十分に小さいことを意味する。つまり、「均一」な状態とは、局所的に濃度の低い又は高い位置が空間内に形成されずに、空間内の全ての濃度が実質的に等しい状態である。例えば、「均一」な状態では、空間内の任意の地点の濃度は、平均値の±１０％以内の範囲内である。
【００１５】
（実施の形態１）
［構成］
まず、実施の形態１に係る次亜塩素酸ガス放出システムの構成について、図１及び図２を用いて説明する。
【００１６】
図１は、本実施の形態に係る次亜塩素酸ガス放出システム１の構成を示すブロック図である。図２は、本実施の形態に係る次亜塩素酸ガス放出システム１の放出口１０を模式的に示す図である。
【００１７】
本実施の形態に係る次亜塩素酸ガス放出システム１は、次亜塩素酸ガスを含む気体を空間（以下、対象空間と記載する場合がある）内に放出する。対象空間は、具体的には、建物の屋内空間などの閉じられた空間である。対象空間は、例えば、一般家庭の居住空間、又は、病院若しくは介護施設の室内空間である。なお、対象空間は、完全に閉じた空間でなくてもよく、屋外と繋がっていてもよい。また、対象空間は、建物内の空間だけでなく、電車又は自動車などの移動体の屋内の空間であってもよい。
【００１８】
次亜塩素酸ガスは、除菌及び脱臭効果を有する。具体的には、次亜塩素酸ガスは、酸化作用を有し、対象空間の浮遊菌、物体に付着した付着菌、又は、臭い物質を酸化により分解することで、除菌及び脱臭を行う。したがって、除菌及び脱臭効果は、次亜塩素酸ガスの濃度とガスとの接触時間との積であるＣＴ値によって定められる。
【００１９】
図１に示されるように、次亜塩素酸ガス放出システム１は、放出口１０と、制御部３０とを備える。本実施の形態では、次亜塩素酸ガス放出システム１は、さらに、生成部２０を備える。
【００２０】
放出口１０は、次亜塩素酸ガスを含む気体を放出する。本実施の形態では、放出口１０は、生成部２０が生成した次亜塩素酸ガスを含む気体を放出する。放出口１０は、例えば、生成部２０を収容する筐体に設けられた開口である。あるいは、放出口１０は、対象空間を形成する壁面に設けられた開口であってもよい。
【００２１】
ここで、図２は、放出口１０を正面から見たときの模式的な平面図を表している。図２に示されるように、放出口１０には、可動式の複数のルーバー１１及び１２が設けられている。本実施の形態では、制御部３０によって複数のルーバー１１及び１２の向きが変更されることにより、放出口１０からの気体の放出方向が変更される。
【００２２】
放出口１０は、例えば、水平面に対して所定の角度で傾いた状態で設けられている。所定の角度は、例えば３０°であるが、これに限らない。また、放出口１０は、水平面に平行であってもよく、垂直であってもよい。
【００２３】
複数のルーバー１１はそれぞれ、水平方向に延びる長尺の板材である。複数のルーバー１１は、例えば、水平方向を軸として回動可能であり、放出方向の上下方向への角度を変更することができる。
【００２４】
複数のルーバー１２はそれぞれ、放出口１０を正面視した場合にルーバー１１が延びる方向に直交する方向に延びる長尺の板材である。複数のルーバー１２は、例えば、ルーバー１２が延びる方向を軸として回動可能であり、放出方向の左右方向への角度を変更することができる。
【００２５】
複数のルーバー１１及び複数のルーバー１２はそれぞれ、放出口１０の法線方向を中心として左右に±１５°の範囲を可動域とする。なお、ルーバー１１及びルーバー１２の可動域は、これに限定されず、±９０°以下の範囲でもよく、例えば±４５°でもよい。
【００２６】
生成部２０は、次亜塩素酸ガスを生成する。具体的には、生成部２０は、食塩水を電気分解することで、次亜塩素酸ガスを生成する。例えば、生成部２０は、水道水と塩タブレットとを混合することで食塩水を生成し、生成した食塩水を電気分解することで次亜塩素酸ガスを生成する。生成部２０は、食塩水を貯める容器、電気分解用の電極及び電源回路などで実現される。
【００２７】
生成部２０は、例えば、筐体の内部に設けられており、当該筐体に放出口１０が設けられている。生成部２０と放出口１０とが離れて設けられている場合、生成部２０と放出口１０とは、ダクトなどで接続されていてもよい。例えば、生成部２０は、対象空間の外に設けられていてもよい。
【００２８】
制御部３０は、放出口１０からの気体の放出方向を制御する。制御部３０は、例えば、マイクロコンピュータなどである。具体的には、制御部３０は、プログラムが格納された不揮発性メモリ、プログラムを実行するための一時的な記憶領域である揮発性メモリ、入出力ポート、及び、プログラムを実行するプロセッサなどで実現される。
【００２９】
制御部３０は、拡散稼働制御と、安定稼働制御とを実行する。拡散稼働制御は、気体の放出方向を経時変化させる第１制御の一例である。安定稼働制御は、気体の放出方向を固定する第２制御の一例である。
【００３０】
本実施の形態では、制御部３０は、拡散稼働制御を実行する場合に、図３に示されるように、放出方向を所定範囲内で連続的に変化させる。図３は、本実施の形態に係る次亜塩素酸ガス放出システム１の放出方向を連続的に変更する例を示す図である。図３では、気体の放出方向が、放出口１０を通過する矢印で表されている。
【００３１】
例えば、図３では、一例として、上下方向の角度調整用のルーバー１１を固定した状態で、左右方向の角度調整用のルーバー１２を連続的に変化させる例を示している。例えば、図３に示されるように、複数のルーバー１２は、可動域の一方端（ａ）から中央（ｂ）を通って他方端（ｃ）まで所定の期間をかけて変化し、他方端（ｃ）から中央（ｂ）を通って一方端（ａ）まで所定の期間をかけて変化する。一方端（ａ）から他方端（ｃ）への変化と他方端（ｃ）から一方端（ａ）への変化とが交互に繰り返される。
【００３２】
これにより、次亜塩素酸ガスを含む気体の放出方向が連続的に変化する。なお、連続的とは、放出方向が滑らかに変化することである。例えば、１秒あたりに変化する放出方向の角度が５°以下である。
【００３３】
制御部３０は、時間計測機能を有する。制御部３０は、次亜塩素酸ガス放出システム１の稼働開始からの経過時間に基づいて、拡散稼働制御と安定稼働制御とを切り替える。具体的には、制御部３０は、拡散稼働制御を気体の放出開始から所定期間実行し、安定稼働制御を所定期間の経過後に実行する。
【００３４】
所定期間は、気体が放出される対象空間の換気回数に基づいて定められた期間である。例えば、所定期間は、１時間あたりの換気回数の逆数以下の期間である。具体的には、換気回数が１時間あたり６回である場合、所定期間は、１／６時間、すなわち、１０分以下の期間である。これは、対象空間の換気が１回終わった時点で、次亜塩素酸ガスが対象空間の略全体に行き渡ったと考えられるためである。
【００３５】
なお、所定期間の最小値は、放出口１０からの気体の放出速度及び放出範囲に基づいて定められる。例えば、所定期間の最小値は、放出口１０からの気体の放出速度（すなわち、流速）と、放出方向における対象空間の奥行きとの積を、放出方向毎に累積した値として定められる。なお、放出方向が連続的に変化する場合には、放出方向の変化範囲を仮想的に所定数の放出方向に分割して考慮することができる。
【００３６】
具体的には、流速０．５ｍ／秒で気体が放出される場合において、放出口１０から各放出方向における対象空間の最奥部までの距離が１０ｍである場合、気体が最奥部に到達するまでに２０秒（＝１０ｍ÷０．５／秒）要する。放出方向の変化範囲を１０方向に分割して考慮した場合、空間の略全体に行き渡らせるには、２００秒（＝１０方向×２０秒）要する。したがって、所定期間は、例えば２００秒以上である。
【００３７】
制御部３０は、例えば、予め定められた所定期間を記憶するメモリを備えている。あるいは、制御部３０は、換気回数、対象空間の大きさ及び放出口１０の設置位置などの入力を受け付け、所定期間を演算により決定してもよい。
【００３８】
［動作］
続いて、本実施の形態に係る次亜塩素酸ガス放出システム１の動作、すなわち、次亜塩素酸ガス放出方法について説明する。
【００３９】
図４は、本実施の形態に係る次亜塩素酸ガス放出システム１の動作を示すフローチャートである。図４に示されるように、まず、制御部３０は、拡散稼働制御を実行する（Ｓ１０）。制御部３０は、気体の放出開始からの経過時間が所定期間に達するまで（Ｓ１２でＮｏ）、拡散稼働制御を維持する。これにより、所定期間においては、放出口１０からの気体の放出方向が連続的に変化するので、次亜塩素酸ガスが対象空間に広がりやすくなる。
【００４０】
気体の放出開始から所定期間が経過した場合（Ｓ１２でＹｅｓ）、制御部３０は、拡散稼働制御を停止し、安定稼働制御を実行する（Ｓ１４）。具体的には、制御部３０は、放出口１０からの放出方向を一方向に固定する。固定される方向は、予め設定された方向である。予め設定された方向は、例えば、対象空間内で次亜塩素酸ガスの濃度が低下しやすい位置に向けて気体が放出されるような方向であってもよい。あるいは、固定される方向は、所定期間が経過した時点での放出方向であってもよい。
【００４１】
以降、次亜塩素酸ガス放出システム１の動作が終了されるまで（Ｓ１６でＮｏ）、制御部３０は、安定稼働制御を維持する。
【００４２】
［シミュレーション結果］
以下では、安定稼働制御と拡散稼働制御との各々を単独で実行した場合における、対象空間内の次亜塩素酸ガスの濃度の時間変化をシミュレーションした結果について説明する。
【００４３】
シミュレーションの条件は、次の通りである。安定稼働制御では、放出方向を水平面から上向き３０°、かつ、左右方向においては放出口１０の正面方向に固定している。拡散稼働制御では、放出方向を水平面から上向き３０°に固定した状態で、かつ、左右方向に±１５°の範囲で連続的に変化させている。放出方向の変化範囲において一方端から他方端までに要する時間は２７秒である。
【００４４】
図５Ａ及び図５Ｂはそれぞれ、安定稼働制御及び拡散稼働制御の開始直後における、対象空間内の位置毎の次亜塩素酸ガスの濃度のシミュレーション結果を示す図である。図５Ａ及び図５Ｂの各々において、横軸は対象空間内の位置を表し、縦軸は次亜塩素酸ガスの濃度を表している。図５Ａ及び図５Ｂは、気体の放出開始から２５秒後の各位置での次亜塩素酸ガスの濃度を示している。
【００４５】
図５Ａ及び図５Ｂに示されるように、気体の放出を開始した直後では、対象空間の位置毎に次亜塩素酸ガスの濃度にばらつきが発生している。各図において白抜きの両矢印で示されるように、開始直後では、安定稼働制御及び拡散稼働制御のいずれの場合においても、次亜塩素酸ガスが検出されない位置が複数存在している。
【００４６】
このとき、拡散稼働制御の場合は、安定稼働制御よりも次亜塩素酸ガスが検出されない位置が少ない。つまり、拡散稼働制御の方が、次亜塩素酸ガスがより短期間で対象空間内に拡散されている。
【００４７】
図６Ａ及び図６Ｂはそれぞれ、安定稼働制御及び拡散稼働制御の開始から一定期間経過後における、対象空間内の位置毎の次亜塩素酸ガスの濃度のシミュレーション結果を示す図である。図６Ａ及び図６Ｂは、気体の放出開始から３００秒後の各位置での次亜塩素酸ガスの濃度を示している。図６Ａ及び図６Ｂの各々における縦軸及び横軸は、図５Ａ及び図５Ｂと同様である。
【００４８】
図６Ａに示されるように、気体の放出開始から３００秒後では、安定稼働制御の場合、対象空間内で次亜塩素酸ガスの濃度が均一になっている。一方で、図６Ｂに示されるように、拡散稼働制御の場合、次亜塩素酸ガスの濃度分布に波が生じており、均一度合いが低下していることが分かる。つまり、拡散稼働制御を継続し続けた場合、次亜塩素酸ガスの濃度が不均一になる。これは、拡散稼動により空間内の気流が乱されるためである。
【００４９】
図７は、安定稼働制御と拡散稼働制御との各々を実行した場合の、次亜塩素酸ガスの濃度の対象空間内の均一度合いを表すシミュレーション結果を示す図である。図７において、横軸は気体の放出開始からの経過時間を表し、縦軸は次亜塩素酸ガスの濃度の均一度合いを表している。縦軸の上側程、均一度合いが高いことを意味している。
【００５０】
図７に示されるように、拡散稼働制御の方が安定稼働制御よりも短期間で均一度合いが高くなっている。一方で、開始３分後から１０分後までの期間は、安定稼働制御の方が拡散稼働制御よりも均一度合いが高い。十分な時間が経過した定常状態においては、拡散稼働制御と安定稼働制御とでは、実質的に均一度合いが等しくなっている。
【００５１】
本実施の形態では、気体の放出開始から所定期間、拡散稼働制御が実行される。これにより、対象空間内の次亜塩素酸ガスの濃度を短期間で均一度合いが高い状態にすることができる。所定期間の経過後には、拡散稼働制御から安定稼働制御に切り替えて安定稼働制御が実行される。これにより、均一度がより高い状態を維持することができる。
【００５２】
［効果など］
以上のように、本実施の形態に係る次亜塩素酸ガス放出システム１は、次亜塩素酸ガスを含む気体を放出する放出口１０と、放出口１０からの気体の放出方向を制御する制御部３０とを備える。制御部３０は、放出方向を経時変化させる拡散稼働制御を、気体の放出開始から所定期間実行し、放出方向を固定する安定稼働制御を、所定期間の経過後に実行する。
【００５３】
これにより、拡散稼働制御を実行した後に安定稼働制御を実行することで、拡散稼働制御及び安定稼働制御の一方を常に実行する場合よりも短期間で対象空間内の次亜塩素酸ガスの濃度を均一化することができる。したがって、除菌効果が高い状態を短期間で対象空間内に形成することができる。
【００５４】
また、対象空間内の次亜塩素酸ガスの濃度を短期間で均一にすることができるので、次亜塩素酸ガスの使用量を削減することができる。これにより、次亜塩素酸ガスを電気分解で生成する場合には、消費電力を削減することができる。また、次亜塩素酸ガスの原料となる水及び塩タブレットの補給回数を削減することができるので、メンテナンスの頻度も少なくすることができる。
【００５５】
また、例えば、所定期間は、気体が放出される対象空間の換気回数に基づいて定められた期間である。
【００５６】
これにより、対象空間のサイズによらず、短期間で次亜塩素酸ガスの濃度を均一にすることができる。換気回数は、例えば、空間設計の段階で空間の種別に応じて定められている。具体的には、対象空間が一般家庭などの居室の場合、換気回数は１時間あたり０．５回である。対象空間が病院又は介護施設など部屋の場合、換気回数は１時間あたり６回から１２回の範囲内の回数である。このため、対象空間のサイズ及び換気回数の実測も必要ではなく、次亜塩素酸ガス放出システム１の稼働条件を簡便に設定することができる。
【００５７】
また、例えば、制御部３０は、拡散稼働制御を実行する場合に、放出方向を所定範囲内で連続的に変化させる。
【００５８】
これにより、放出方向をアナログ的に変化させることができるので、次亜塩素酸ガスの濃度の均一度を高めることができる。
【００５９】
また、例えば、本実施の形態に係る次亜塩素酸ガス放出方法は、次亜塩素酸ガスを含む気体を放出する放出口１０からの気体の放出方向を経時変化させる拡散稼働制御を、気体の放出開始から所定期間実行し、放出方向を固定する安定稼働制御を、所定期間の経過後に実行する。また、本実施の形態に係るプログラムは、上記次亜塩素酸ガス放出方法をコンピュータに実行させるためのプログラムである。
【００６０】
これにより、対象空間内の次亜塩素酸ガスの濃度を短期間で均一にすることができる。
【００６１】
［変形例］
ここで、本実施の形態に係る次亜塩素酸ガス放出システム１の変形例について説明する。
【００６２】
本変形例では、放出口１０からの放出方向として、複数の放出方向が定められている。制御部３０は、予め定められた複数の放出方向の中から１つを選択し、選択した放出方向に気体を放出口１０から放出させる。例えば、制御部３０は、拡散稼働制御を実行する場合に、放出方向を所定の範囲内で離散的に変化させる。具体的には、制御部３０は、拡散稼働制御を実行する場合に、複数の放出方向から１つずつ順に選択し、選択した順で放出方向を順次変更する。つまり、制御部３０は、時間の経過に従って複数の方向を遷移させる。
【００６３】
図８は、本変形例に係る次亜塩素酸ガス放出システム１による気体の放出方向の例を示す図である。図８は、放出口１０から見たときの対象空間を３×３の９領域に分割したことを模式的に表している。９領域は、上下方向において「上」、「中央」及び「下」の３つと、左右方向において「左」、「中央」及び「右」の３つとの組み合わせで定められる。なお、上下方向における「上」の３つの放出方向Ａ〜Ｃは、放出口１０から遠い位置に向けて気体を放出することができる方向である。「下」の３つの放出方向Ｇ〜Ｉは、放出口１０から近い位置にまで気体を放出することができる方向である。
【００６４】
本変形例では、制御部３０は、放出方向Ａ〜Ｉの９つの放出方向の中から１つを選択して、選択した放出方向に気体を放出させる。制御部３０は、拡散稼働制御を実行する場合に、例えば放出方向Ａ〜Ｉをこの順で１つずつ選択する。例えば、制御部３０は、１つの方向につき１秒から数秒などの所定期間、選択された方向に放出方向を固定する。
【００６５】
なお、放出方向の選択順序は、特に限定されない。例えば、制御部３０は、放出方向Ｉ〜Ａの順に選択してもよい。あるいは、制御部３０は、「左」の３列、「中央」の３列、「右」の３列の順、又は、この逆の順に選択してもよい。また、制御部３０は、９つの放出方向のうち１つ以上の放出方向を間引いて選択してもよい。例えば、制御部３０は、放出方向Ａ、Ｃ、Ｅ、Ｇ及びＩのみをこの順で選択してもよい。
【００６６】
このとき、制御部３０は、選択した放出方向に応じて、放出口１０から放出される気体の風量を調整してもよい。例えば、図８に示されるように、「上」、「中央」及び「下」の３つに応じて、風量又は風速を「多」、「中」及び「少」の３段階で変更してもよい。これにより、例えば、「上」の３つの放出方向が選択されて、遠くまで気体を放出する際には、対象空間の最奥部まで十分な量の次亜塩素酸ガスを届かせることができる。
【００６７】
以上のように、本変形例に係る次亜塩素酸ガス放出システムでは、制御部３０は、拡散稼働制御を実行する場合に、放出方向を所定範囲内で離散的に変化させる。
【００６８】
これにより、放出方向がデジタル的に変更されるので、放出方向を変更するための構成及び制御を簡便にすることができる。
【００６９】
（実施の形態２）
続いて、実施の形態２について説明する。
【００７０】
［構成］
図９は、本実施の形態に係る次亜塩素酸ガス放出システム２の構成を示すブロック図である。図９に示されるように、次亜塩素酸ガス放出システム２は、実施の形態１に係る次亜塩素酸ガス放出システム１と比べて、新たに外乱検出センサ４０を備える点と、制御部３０の代わりに制御部３１を備える点とが相違する。以下では、実施の形態１との相違点を中心に説明し、共通点の説明を省略又は簡略化する。
【００７１】
外乱検出センサ４０は、気体が放出される対象空間内の次亜塩素酸ガスの濃度を変化させる要因を検出する第１センサの一例である。ここでの要因は、放出口１０からの放出量が一定の場合であっても次亜塩素酸ガスの濃度を変化させる要因であって、いわゆる外乱に相当する。具体的には、外乱検出センサ４０は、人感センサ、開閉センサ、においセンサ及び紫外線光量計などの少なくとも１つを含んでいる。
【００７２】
人感センサは、人を検出する。具体的には、人感センサは、対象空間内での人の存在の有無及び人の動き、並びに、対象空間への人の出入りを検出する。対象空間への人の出入り及び対象空間内での人の動きによって対象空間内には気流が発生する。この気流によって、次亜塩素酸ガスの濃度分布が変化する場合がある。つまり、人は、次亜塩素酸ガスの濃度を変化させる外乱の１つである。人感センサは、例えば、赤外線センサ、可視光センサ及び超音波センサなどである。
【００７３】
開閉センサは、対象空間と外部空間とを隔てる部材のうち、ドア又は窓などの開閉自在な部材の開閉を検出する。ドア又は窓が開閉された場合には、対象空間から外部空間へ、又は、外部空間から対象空間への気流が発生する恐れがあり、次亜塩素酸ガスの濃度分布が変化する場合がある。つまり、ドア又は窓の開閉は、次亜塩素酸ガスの濃度を変化させる外乱の１つである。開閉センサは、例えば、磁界変化を検出するセンサである。
【００７４】
においセンサは、臭気物質を検出する。臭気物質は、例えば、アンモニア又はメチルメルカプタンなどのにおいを出す物質である。臭気物質は、次亜塩素酸ガスと反応して分解される。つまり、臭気物質が検出された場合に、次亜塩素酸ガスは、臭気物質の分解に利用されるので、次亜塩素酸ガスの濃度が低下する。このように、臭気物質は、次亜塩素酸ガスの濃度を変化させる外乱の１つである。においセンサは、例えば、半導体式センサ、接触燃焼式センサ、又は、電気化学式センサなどである。
【００７５】
紫外線光量計は、紫外線を検出する。次亜塩素酸ガスは、紫外線が照射された場合に分解されるので、次亜塩素酸ガスの濃度が低下する。このように、紫外線は、次亜塩素酸ガスの濃度を変化させる外乱の１つである。紫外線光量計は、例えば、フォトダイオードなど受光センサである。
【００７６】
本実施の形態に係る制御部３１は、制御部３０の動作に加えて、安定稼働制御を実行している期間内に、外乱検出センサ４０によって、次亜塩素酸ガスの濃度を変化させる要因が検出された場合、安定稼働制御を停止し、拡散稼働制御を所定期間実行する。具体的には、制御部３１は、外乱検出センサ４０から要因の検出結果を取得し、取得した検出結果に基づいて拡散稼働制御の実行の要否を判定する。制御部３１は、拡散稼働制御を実行すると判定した場合、拡散稼働制御を所定期間実行し、所定期間の経過後に、再び安定稼働制御を実行する。
【００７７】
例えば、制御部３１は、対象空間への人の出入りが人感センサによって検出された場合に、拡散稼働制御を実行する。また、制御部３１は、対象空間のドア又は窓の開閉が開閉センサによって検出された場合に、拡散稼働制御を実行する。あるいは、制御部３１は、においセンサで検出された臭気指数と所定の基準値とを比較し、検出された臭気指数が基準値を越えた場合に、拡散稼働制御を実行する。制御部３１は、紫外線光量計で検出された紫外線量と所定の基準値とを比較し、検出された紫外線量が基準値を越えた場合に、拡散稼働制御を実行する。
【００７８】
［動作］
続いて、本実施の形態に係る次亜塩素酸ガス放出システム２の動作、すなわち、次亜塩素酸ガス放出方法について説明する。
【００７９】
図１０は、本実施の形態に係る次亜塩素酸ガス放出システム２の動作を示すフローチャートである。図１０に示されるように、拡散稼働制御を実行してから安定稼働制御を維持するまでの処理（Ｓ１０〜Ｓ１６）は、実施の形態１と同じである。
【００８０】
本実施の形態では、安定稼働制御が実行されている期間（Ｓ１６でＮｏ）において、制御部３１は、外乱検出センサ４０によって外乱が検出された場合（Ｓ１８でＹｅｓ）、ステップＳ１０に戻り、再び拡散稼働制御を実行する。
【００８１】
外乱検出センサ４０によって外乱が検出されない場合（Ｓ１８でＮｏ）、制御部３１は、ステップＳ１４に戻り、安定稼働制御を維持する。
【００８２】
［効果など］
以上のように、本実施の形態に係る次亜塩素酸ガス放出システム２は、さらに、気体が放出される空間内の次亜塩素酸ガスの濃度を変化させる要因を検出する外乱検出センサ４０を備える。制御部３１は、さらに、安定稼働制御を実行している期間内に、外乱検出センサ４０によって要因が検出された場合、安定稼働制御を停止し、拡散稼働制御を前記所定期間実行する。
【００８３】
これにより、人の出入り又は窓の開閉などの要因によって対象空間内の次亜塩素酸ガスの濃度の均一性が損なわれうる場合に拡散稼働制御を実行することができる。このため、実際に次亜塩素酸ガスの濃度が変化したとしても、短期間で次亜塩素酸ガスの濃度を均一にすることができるので、対象空間内の次亜塩素酸ガスの濃度の均一性が高い状態を長期間、維持することができる。
【００８４】
（実施の形態３）
続いて、実施の形態３について説明する。
【００８５】
［構成］
図１１は、本実施の形態に係る次亜塩素酸ガス放出システム３の構成を示すブロック図である。図１１に示されるように、次亜塩素酸ガス放出システム３は、実施の形態１に係る次亜塩素酸ガス放出システム１と比べて、新たに複数の次亜塩素酸ガスセンサ５０を備える点と、制御部３０の代わりに制御部３２を備える点が相違する。以下では、実施の形態１との相違点を中心に説明し、共通点の説明を省略又は簡略化する。
【００８６】
次亜塩素酸ガスセンサ５０は、気体が放出される対象空間内の次亜塩素酸ガスの濃度を検出する第２センサの一例である。次亜塩素酸ガスセンサ５０は、例えば電気化学式センサである。なお、次亜塩素酸ガスセンサ５０は、直接的に次亜塩素酸を検出してもよく、次亜塩素酸が分解されて生成される塩素を検出することで、間接的に次亜塩素酸を検出してもよい。
【００８７】
本実施の形態では、次亜塩素酸ガスセンサ５０は、対象空間内の所定位置の次亜塩素酸ガスの濃度を検出する。例えば、図１２に示されるように、複数の次亜塩素酸ガスセンサ５０は、空間９０内において、互いに異なる位置の次亜塩素酸ガスの濃度を検出する。
【００８８】
図１２は、本実施の形態に係る次亜塩素酸ガス放出システム３における次亜塩素酸ガスセンサの検出位置の一例を示す図である。図１２には、４つの次亜塩素酸ガスセンサ５０ａ〜５０ｄが示されている。４つの次亜塩素酸ガスセンサ５０ａ〜５０ｄはそれぞれ、図１１に示される次亜塩素酸ガスセンサ５０である。以下では、４つの次亜塩素酸ガスセンサ５０ａ〜５０ｄを特に区別する必要がない場合、次亜塩素酸ガスセンサ５０として説明する。
【００８９】
図１２には、気体が放出される対象空間の一例である空間９０と、空間９０内の次亜塩素酸ガスの濃度分布とが模式的に示されている。空間９０と外部空間とを隔てる壁には、ドア９１、給気口９２及び排気口９３が設けられている。次亜塩素酸ガスの濃度分布は、ドットの密度が濃い部分程、次亜塩素酸ガスの濃度が高いことを表している。
【００９０】
ドア９１の周辺、及び、給気口９２から排気口９３に至る経路は、気流が発生しやすく、次亜塩素酸ガスの濃度の変動が大きくなりやすい。例えば、ドア９１の開閉、又は、給気口９２及び排気口９３を介した換気が行われた場合には、図１２に示されるように、ドア９１の周辺、及び、給気口９２から排気口９３に至る経路の次亜塩素酸ガスの濃度が低くなりやすい。次亜塩素酸ガスの濃度の低下が発生しやすい位置は、例えば、対象空間の設計段階で予め推定することができる。
【００９１】
本実施の形態では、複数の次亜塩素酸ガスセンサ５０による検出位置は、次亜塩素酸ガスの濃度の低下が発生しやすい位置である。例えば、図１２に示されるように、次亜塩素酸ガスセンサ５０ａは、ドア９１の近傍に配置され、配置された位置の次亜塩素酸ガスの濃度を検出する。次亜塩素酸ガスセンサ５０ｂ〜ｄは、給気口９２から排気口９３に至る経路上にそれぞれ配置され、配置された位置の次亜塩素酸ガスの濃度を検出する。
【００９２】
本実施の形態に係る制御部３２は、制御部３０の動作に加えて、安定稼働制御を実行している期間内に、次亜塩素酸ガスセンサ５０によって、次亜塩素酸ガスの濃度の変化が検出された場合、安定稼働制御を停止し、拡散稼働制御を所定期間実行する。具体的には、制御部３２は、複数の次亜塩素酸ガスセンサ５０の各々から次亜塩素酸ガスの濃度の測定値を取得し、取得した測定値に基づいて拡散稼働制御の実行の要否を判定する。制御部３２は、拡散稼働制御を実行すると判定した場合、拡散稼働制御を所定期間実行し、所定期間の経過後に、再び安定稼働制御を実行する。
【００９３】
また、制御部３２は、さらに、局所稼働制御を実行する。局所稼働制御とは、所定の位置に向けて気体を放出する第３制御の一例である。例えば、制御部３２は、検出された濃度が予め定められた基準値を下回った場合に、局所稼働制御を実行する。ここでの基準値は、例えば、除菌効果を発揮させるために最低限必要な次亜塩素酸ガスの濃度である最低基準値である。なお、基準値は、最低基準値よりも高い値であってもよい。
【００９４】
具体的には、制御部３２は、次亜塩素酸ガスセンサ５０によって濃度の低下が検出された場合、低下が検出された位置に向けて気体が放出されるように放出方向を制御する。図８に示される９つの放出方向の中から、濃度の低下が検出された方向を決定し、決定した方向に向けて気体を放出口１０から放出させる。
【００９５】
例えば、図１２に示される次亜塩素酸ガスセンサ５０ａの検出位置の濃度が低下した場合、当該検出位置は、放出口１０の左側で、かつ、放出口１０から遠い位置に位置している。このため、制御部３２は、放出方向Ａを選択し、放出方向Ａに向けて放出口１０から気体を放出させる。また、次亜塩素酸ガスセンサ５０ｂの検出位置の濃度が低下した場合、当該検出位置は、放出口１０の正面で、かつ、放出口１０に近い位置に位置している。このため、制御部３２は、放出方向Ｈを選択し、放出方向Ｈに向けて放出口１０から気体を放出させる。
【００９６】
複数の検出位置で濃度の低下が検出された場合、制御部３２は、例えば、当該検出位置に向けた放出方向を順に選択する。選択の順序は、例えば、濃度が低い順であるが、これに限らない。
【００９７】
［動作］
続いて、本実施の形態に係る次亜塩素酸ガス放出システム３の動作、すなわち、次亜塩素酸ガス放出方法について説明する。
【００９８】
図１３は、本実施の形態に係る次亜塩素酸ガス放出システム３の動作を示すフローチャートである。図１３に示されるように、拡散稼働制御を実行してから安定稼働制御を維持するまでの処理（Ｓ１０〜Ｓ１６）は、実施の形態１と同じである。
【００９９】
本実施の形態では、安定稼働制御が実行されている期間（Ｓ１６でＮｏ）において、制御部３２は、複数の次亜塩素酸ガスセンサ５０の少なくとも１つによって検出された次亜塩素酸ガスの濃度が変化したか否かを判定する（Ｓ２０）。次亜塩素酸ガスの濃度が変化していない場合（Ｓ２０でＮｏ）、制御部３２は、ステップＳ１４に戻り、安定稼働制御を維持する。
【０１００】
次亜塩素酸ガスの濃度が変化した場合（Ｓ２０でＹｅｓ）、制御部３２は、検出された濃度と最低基準値とを比較する（Ｓ２２）。検出された濃度が最低基準値以上である場合（Ｓ２２でＮｏ）、制御部３２は、ステップＳ１０に戻り、再び拡散稼働制御を実行する。これにより、次亜塩素酸ガスの濃度を短期間で均一な状態にすることができる。
【０１０１】
検出された濃度が最低基準値よりも低い場合（Ｓ２２でＹｅｓ）、制御部３２は、局所稼働制御を実行する（Ｓ２４）。具体的には、制御部３２は、最低基準値よりも低い濃度が検出された位置に向けて、放出口１０から気体を放出させる。制御部３２は、局所稼働制御を一定期間実行した後、ステップＳ１０に戻り、再び拡散稼働制御を実行する。これにより、次亜塩素酸ガスの濃度を短期間で均一な状態にすることができる。
【０１０２】
なお、制御部３２は、局所稼働制御を実行した後、拡散稼働制御を実行する前に、次亜塩素酸ガスの濃度と最低基準値との比較を行ってもよい。全ての次亜塩素酸ガスセンサ５０による検出位置での濃度が最低基準値より高くなった場合に、制御部３２は、拡散稼働制御を実行してもよい。
【０１０３】
［効果など］
以上のように、本実施の形態に係る次亜塩素酸ガス放出システム３は、さらに、気体が放出される空間内の次亜塩素酸ガスの濃度を検出する次亜塩素酸ガスセンサ５０を備える。制御部３２は、さらに、安定稼働制御を実行している期間内に、次亜塩素酸ガスセンサ５０によって次亜塩素酸ガスの濃度の変化が検出された場合、安定稼働制御を停止し、拡散稼働制御を所定期間実行する。
【０１０４】
これにより、対象空間内の次亜塩素酸ガスの濃度の均一性が損なわれた場合に拡散稼働制御を実行することができる。このため、短期間で次亜塩素酸ガスの濃度を均一にすることができるので、対象空間内の次亜塩素酸ガスの濃度の均一性が高い状態を長期間、維持することができる。
【０１０５】
また、例えば、次亜塩素酸ガス放出システム３は、さらに、気体が放出される空間内の所定位置の次亜塩素酸ガスの濃度を検出する次亜塩素酸ガスセンサ５０を備えてもよい。制御部３２は、さらに、次亜塩素酸ガスセンサ５０によって次亜塩素酸ガスの濃度の低下が検出された場合、所定位置に向けて気体が放出されるように放出方向を制御する局所稼働制御を実行する。
【０１０６】
これにより、次亜塩素酸ガスが不足した位置に向けて速やかに次亜塩素酸ガスを供給することができるので、対象空間内の除菌効果が高い状態を維持することができる。
【０１０７】
また、例えば、所定位置は、空間内の環境に基づいて予め決定された次亜塩素酸ガスの濃度の低下が発生しやすい位置である。
【０１０８】
これにより、対象空間内に配置される次亜塩素酸ガスセンサ５０の個数を削減することができるので、制御負荷の軽減、及び、低コスト化を実現することができる。また、次亜塩素酸ガスの濃度が低下しやすい位置の濃度を検出するので、対象空間内の濃度変化を適切に検出することができる。このため、対象空間内の次亜塩素酸ガスの濃度の均一性が高い状態を長期間、維持することができる。
【０１０９】
複数の次亜塩素酸ガスセンサ５０が設けられた場合には、対象空間内の次亜塩素酸ガスの濃度変化を細かく検出することができるので、次亜塩素酸ガスの濃度の均一化を高い精度で行うことができる。なお、次亜塩素酸ガス放出システム３が備える次亜塩素酸ガスセンサ５０の個数は、１つのみでもよい。
【０１１０】
（実施の形態４）
続いて、実施の形態４について説明する。
【０１１１】
［構成］
図１４は、本実施の形態に係る次亜塩素酸ガス放出システム４の構成を示すブロック図である。図１４に示されるように、次亜塩素酸ガス放出システム４は、実施の形態１に係る次亜塩素酸ガス放出システム１と比べて、新たに換気設備６０及び空調設備７０を備える点と、制御部３０の代わりに制御部３３を備える点とが相違する。以下では、実施の形態１との相違点を中心に説明し、共通点の説明を省略又は簡略化する。
【０１１２】
換気設備６０は、気体が放出される対象空間内の換気を行う設備である。換気設備６０は、例えば、換気扇、送風機又はベンチレーターなどである。
【０１１３】
空調設備７０は、気体が放出される対象空間内の空調を行う設備である。空調設備７０は、例えば、対象空間内に気流を生成する。空調設備７０は、エアコン、扇風機又は送風機などである。
【０１１４】
本実施の形態に係る制御部３３は、制御部３０の動作に加えて、拡散稼働制御の実行を開始する以前に、換気設備６０及び空調設備７０の動作を停止させる。具体的には、制御部３３は、換気設備６０及び空調設備７０の気流生成に関わる動作を停止させる。なお、拡散稼働制御の実行と、換気設備６０及び空調設備７０の動作の停止とは同時に行われてもよい。
【０１１５】
［動作］
続いて、本実施の形態に係る次亜塩素酸ガス放出システム４の動作、すなわち、次亜塩素酸ガス放出方法について説明する。
【０１１６】
図１５は、本実施の形態に係る次亜塩素酸ガス放出システム４の動作を示すフローチャートである。図１５に示されるように、開始信号が発せられると、まず、制御部３３は、換気設備６０及び空調設備７０の動作を停止する（Ｓ３０）。その後、制御部３３は、拡散稼働制御を実行する（Ｓ１０）。
【０１１７】
気体の放出開始から所定期間が経過した場合（Ｓ１２でＹｅｓ）、制御部３３は、換気設備６０及び空調設備７０の動作を再開する（Ｓ３２）。なお、動作の再開は行われなくてもよい。
【０１１８】
その後、制御部３０は、拡散稼働制御を停止し、安定稼働制御を実行する（Ｓ１４）。以降、次亜塩素酸ガス放出システム４の動作が終了されるまで（Ｓ１６でＮｏ）、制御部３０は、安定稼働制御を維持する。本実施の形態に係るステップＳ１０、Ｓ１２、Ｓ１４及びＳ１６はそれぞれ、実施の形態１と同じである。
【０１１９】
［効果など］
以上のように、本実施の形態に係る次亜塩素酸ガス放出システム４は、さらに、前記気体が放出される空間の換気又は空調を行う換気設備６０又は空調設備７０を備える。制御部３３は、さらに、拡散稼働制御の実行を開始する以前に、換気設備６０又は空調設備７０の動作を停止させる。
【０１２０】
これにより、対象空間内では換気又は空調に起因する気流が抑制される。これにより、放出した次亜塩素酸ガスが排気により対象空間から排出されて消滅し、又は、空調機に吸引されて分解されるのを抑制することができる。このように、換気設備６０又は空調設備７０と連動させることで、次亜塩素酸ガスの消滅を抑制し、濃度をより短期間で均一化させることができる。
【０１２１】
（その他）
以上、本発明に係る次亜塩素酸ガス放出システムなどについて、上記の実施の形態に基づいて説明したが、本発明は、上記の実施の形態に限定されるものではない。
【０１２２】
例えば、放出口１０には、ルーバー１１及び１２の少なくとも一方が設けられていなくてもよい。例えば、放出口１０には、ルーバー１１及び１２の代わりに、風向を変更可能な送風機が設けられていてもよい。制御部３０は、当該送風機を制御することで、気体の放出方向を変更してもよい。あるいは、制御部３０は、空調設備７０を制御することで、気体の放出方向を変更してもよい。
【０１２３】
また、放出口１０は、同時に複数の方向に向けて次亜塩素酸ガスを含む気体を放出することができてもよい。例えば、複数のルーバー１１及び複数のルーバー１２の少なくとも一方は、それぞれが異なる方向に回動できてもよい。
【０１２４】
また、例えば、各実施の組み合わせを適宜組み合わせてもよい。次亜塩素酸ガス放出システムは、放出口１０と、生成部２０と、制御部３０と、外乱検出センサ４０と、次亜塩素酸ガスセンサ５０と、換気設備６０と、空調設備７０とを備えてもよい。この場合において、制御部３０は、各実施の形態で説明した各機能を実行する。
【０１２５】
例えば、次亜塩素酸ガス放出システム１が複数の次亜塩素酸ガスセンサ５０を備える場合、制御部３０は、安定稼働制御において固定する放出方向を、次亜塩素酸ガスセンサ５０の検出結果に基づいて決定してもよい。例えば、制御部３０は、複数の検出位置のうち最も低い濃度が検出された位置に向けて気体を放出させてもよい。
【０１２６】
また、例えば、次亜塩素酸ガス放出システムは、生成部２０と、外乱検出センサ４０と、次亜塩素酸ガスセンサ５０と、換気設備６０と、空調設備７０との少なくとも１つを備えなくてもよい。例えば、次亜塩素酸ガス放出システムは、生成部２０を備えずに、他のシステムで生成された次亜塩素酸ガスを取得し、取得した次亜塩素酸ガスを含む気体を放出口１０から放出してもよい。
【０１２７】
また、上記実施の形態で説明した装置間の通信方法については特に限定されるものではない。装置間で無線通信が行われる場合、無線通信の方式（通信規格）は、例えば、ＺｉｇＢｅｅ（登録商標）、Ｂｌｕｅｔｏｏｔｈ（登録商標）、又は、無線ＬＡＮ（Local Area Network）などの近距離無線通信である。あるいは、無線通信の方式（通信規格）は、インターネットなどの広域通信ネットワークを介した通信でもよい。また、装置間においては、無線通信に代えて、有線通信が行われてもよい。有線通信は、具体的には、電力線搬送通信（ＰＬＣ：Power Line Communication）又は有線ＬＡＮを用いた通信などである。
【０１２８】
また、上記実施の形態において、特定の処理部が実行する処理を別の処理部が実行してもよい。また、複数の処理の順序が変更されてもよく、あるいは、複数の処理が並行して実行されてもよい。また、次亜塩素酸ガス放出システム１、２、３又は４が備える構成要素の複数の装置への振り分けは、一例である。例えば、一の装置が備える構成要素を他の装置が備えてもよい。
【０１２９】
また、次亜塩素酸ガス放出システム１、２、３又は４は、単一の装置として実現されてもよい。例えば、上述した次亜塩素酸ガス放出システム１、２、３又は４は、１つの筐体に収納された単一の装置として実現されてもよい。当該単一の装置は、容易に持ち運びが可能であってもよく、空間内に自由に配置できてもよい。
【０１３０】
例えば、上記実施の形態において説明した処理は、単一の装置（システム）を用いて集中処理することによって実現してもよく、又は、複数の装置を用いて分散処理することによって実現してもよい。また、上記プログラムを実行するプロセッサは、単数であってもよく、複数であってもよい。すなわち、集中処理を行ってもよく、又は分散処理を行ってもよい。
【０１３１】
また、上記実施の形態において、制御部などの構成要素の全部又は一部は、専用のハードウェアで構成されてもよく、あるいは、各構成要素に適したソフトウェアプログラムを実行することによって実現されてもよい。各構成要素は、ＣＰＵ（Central Processing Unit）又はプロセッサなどのプログラム実行部が、ＨＤＤ（Hard Disk Drive）又は半導体メモリなどの記録媒体に記録されたソフトウェアプログラムを読み出して実行することによって実現されてもよい。
【０１３２】
また、制御部などの構成要素は、１つ又は複数の電子回路で構成されてもよい。１つ又は複数の電子回路は、それぞれ、汎用的な回路でもよいし、専用の回路でもよい。
【０１３３】
１つ又は複数の電子回路には、例えば、半導体装置、ＩＣ（Integrated Circuit）又はＬＳＩ（Large Scale Integration）などが含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Very Large Scale Integration）、又は、ＵＬＳＩ（Ultra Large Scale Integration）と呼ばれるかもしれない。また、ＬＳＩの製造後にプログラムされるＦＰＧＡ（Field Programmable Gate Array）も同じ目的で使うことができる。
【０１３４】
また、本発明の全般的又は具体的な態様は、システム、装置、方法、集積回路又はコンピュータプログラムで実現されてもよい。あるいは、当該コンピュータプログラムが記憶された光学ディスク、ＨＤＤ若しくは半導体メモリなどのコンピュータ読み取り可能な非一時的記録媒体で実現されてもよい。また、システム、装置、方法、集積回路、コンピュータプログラム及び記録媒体の任意な組み合わせで実現されてもよい。
【０１３５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３６】
１、２、３、４  次亜塩素酸ガス放出システム
１０  放出口
３０、３１、３２、３３  制御部
４０  外乱検出センサ（第１センサ）
５０、５０ａ、５０ｂ、５０ｃ、５０ｄ  次亜塩素酸ガスセンサ（第２センサ）
６０  換気設備
７０  空調設備
９０  空間
【図１】
2020110226.tif 000003
【図２】
2020110226.tif 000004
【図３】
2020110226.tif 000005
【図４】
2020110226.tif 000006
【図５Ａ】
2020110226.tif 000007
【図５Ｂ】
2020110226.tif 000008
【図６Ａ】
2020110226.tif 000009
【図６Ｂ】
2020110226.tif 000010
【図７】
2020110226.tif 000011
【図８】
2020110226.tif 000012
【図９】
2020110226.tif 000013
【図１０】
2020110226.tif 000014
【図１１】
2020110226.tif 000015
【図１２】
2020110226.tif 000016
【図１３】
2020110226.tif 000017
【図１４】
2020110226.tif 000018
【図１５】
2020110226.tif 000019